(57)【要約】      （修正有）【課題】化粧料内容物の吐出量の調節が可能である多室包装袋を提供する。【解決手段】多室包装袋は、マッサージパックを中に収容するための収容スペースを有する包装袋、および、熱シール線で区切られ、該線に沿って切断できるように、包装袋の一方側に設けられ、かつ、収容された化粧料内容物の吐出量を調整する、内容物の吐出量の調節部を含む。調節部は、互いに一定の距離に離れるように、熱シール手段を用いて形成される少なくとも２つの吐出口を有する。【選択図】図１
0003172582.tif 000002
【実用新案登録請求の範囲】
【請求項１】
化粧料内容物の吐出量の調節が可能な多室包装袋であって、
マッサージパックを中に収容するための収容スペースを有する包装袋、および
熱シール線で区切られ、該線に沿って切断できるように、包装袋の一方側に設けられ、かつ、収容された化粧料内容物の吐出量を調整する、内容物の吐出量の調節部
を含む、前記多室包装袋。
【請求項２】
内容物の吐出量の調節部が、化粧料内容物を通過させて吐出する少なくとも２つの吐出口を含み、該少なくとも２つの吐出口が、互いに一定の距離に離れるように、熱シール手段を用いて形成される、請求項１に記載の多室包装袋。
【請求項３】
内容物の吐出量の調節部が、吐出口に調整された位置に設けられ、かつ、使用者の肌に接触し、使用者の肌に化粧料内容物を塗布する塗布部をさらに含む、請求項１に記載の多室包装袋。
【考案の詳細な説明】
【技術分野】
【０００１】
本願は、２０１０年１２月１日に韓国特許庁に提出した韓国実用新案出願番号２０−２０１０−００１２４４０の優先権を主張し、その全体の開示は参照によってここに組み込まれる。
【０００２】
本考案は、化粧料内容物の吐出量の調節が可能な多室包装袋に関する。より詳細には、本考案は、化粧料内容物の吐出量の調節が可能な多室包装袋であって、使用者が、別途の保湿化粧料を用いない場合でさえ、化粧料内容物を無駄にすることなく、所望の肌ケアを行うことが可能であるように、マッサージパックが収容された包装袋の一方側で化粧料内容物の吐出量を調整し、吐出するための吐出量の調節部を含む、前記多室包装袋に関する。
【背景技術】
【０００３】
一般に、マッサージパックは、包装袋の中の栄養および保湿を供給するエッセンスなどを含む不織布シートに形成された包装袋タイプの製品、または、乾燥しやすい手または足に栄養や保湿を提供するクリームタイプの製品を含み得る。
それらの中の包装袋タイプの製品は、使用者が包装袋を開封し、使用者の顔または手または足に包装袋の中に受け入れられた不織布シートを適用した後に、不織布シートを顔または手または足から離れないように適合されている。
【０００４】
かかる包装袋タイプの製品は、マッサージパックとして用いる不織布シートだけを収容している。したがって、使用者が、使用者の所望の肌領域に保湿を供給する必要がある場合に、使用者が別途のアンプル、エッセンスまたは流体を購入しなければならず、使用者の観点からは不便であり、さらに購入コストが増大する結果となる。
さらに、使用者は、別途のアンプル、エッセンスまたは流体を購入し得るが、使用者によって所望のように内容物の吐出量を調整することは使用者に困難であって、これにより、内容物を無駄にしてしまう。
【考案の概要】
【考案が解決しようとする課題】
【０００５】
したがって、本考案は、前記の状況に鑑み概念化され、よって、その課題は、使用者が、別途の保湿化粧料を用いない場合でさえ、化粧料内容物を無駄にすることなく、所望の肌ケアを行うことができ得るような、化粧料内容物の吐出量の調節が可能であり、マッサージパックが収容されている包装袋の一方側の化粧料内容物の吐出量を調整および吐出するための吐出量の調節部を含む多室包装袋を提供することである。
【課題を解決するための手段】
【０００６】
前記課題は、化粧料内容物の吐出量の調節が可能な多室包装袋であって、マッサージパックを中に収容するための収容スペースを有する包装袋、および、熱シール線で区切られ、該線に沿って切断できるように、包装袋の一方側に設けられ、かつ、収容された化粧料内容物の吐出量を調節する、内容物の吐出量の調節部を含む、前記多室包装袋によって達成される。
一態様において、内容物の吐出量の調節部は、化粧料内容物を通過させて吐出する少なくとも２つの吐出口を含み、該少なくとも２つの吐出口が、互いに一定の距離に離れるように、熱シール手段を用いて形成されている。
一態様において、内容物の吐出量の調節部は、吐出口に調整された位置に設けられ、かつ、使用者の肌に接触し、使用者の肌に化粧料内容物を塗布する塗布部をさらに含む。
【考案の効果】
【０００７】
本考案の化粧料内容物の吐出量の調節が可能である多室包装袋によって、使用者は、別途の保湿化粧料を用いない場合でさえ、化粧料内容物を無駄にすることなく、使用者の所望の肌ケアを行うことができ得る。
本考案の態様は、図面において、限定されるものではなく、実施例によって図示され、同様の符号は類似の要素を引用している。
【図面の簡単な説明】
【０００８】
【図１】図１は、本考案の、化粧料の吐出量の調節が可能な多室包装袋の斜視図である。
【図２】図２は、本考案の第１の実施態様に従う、内容物の吐出量の調節部の断面図である。
【図３】図３は、本考案の第２の実施態様に従う、内容物の吐出量の調節部の断面図である。
【図４】図４は、本考案の第２の実施態様に従う、内容物の吐出量の調節部の塗布部を用いた化粧料内容物の塗布の状態を示す使用状態図である。
【考案を実施するための形態】
【０００９】
他に定義されていない限り、本明細書で用いた全ての用語は、本考案が属する技術分野の当業者によって一般的に理解されるのと同じ意味を有する。さらに、一般的に辞書で定義されているものなどの用語は、関連技術分野の文脈においてそれらの意味と一致している意味を有するものとして解釈されるべきであり、本明細書において明示の定義がなされていない限り、理想化したり、過度に形式的な意味において解釈されないであろうことが理解されるであろう。
【００１０】
以下、本考案の好ましい実施態様を、図面を参照して詳細に記載する。本考案は、該実施態様に限定されるものではなく、むしろ多くのバリエーションが当業者に可能であり得ることを理解すべきである。
【００１１】
［第１の実施態様］
図１に示すとおり、本考案の第１の実施態様に従う、化粧料内容物の吐出量の調節が可能な多室包装袋は、マッサージパックを中に収容するための収容スペースを有する包装袋１００、該包装袋１００から延びるように形成された内容物の吐出量の調節部１１０を備えている。
【００１２】
包装袋１００は、マッサージパックを収容するための収容スペースを有する。包装袋１００は、低密度ポリエチレンなどの人体に有害でない種々の材料から、使用者によって容易に開封できるように作られる。
包装袋１００の収容スペースに収容されたマッサージパックは、熱の手段によって互いに付着した不織布シートで形成され、それは使用者の所望の肌領域に順次塗布されるエッセンスで湿らされている。
【００１３】
切欠きまたは切断部分１０２が、使用者が容易に包装袋１００を開封し得るように、包装袋１００の一方側に形成される。
図１に示されるように、内容物の吐出量の調節部１１０は、熱シール線１１２で仕切られ、該線１１２に沿って切断できるように、包装袋１００の一方側に設けられる。
【００１４】
図２に示されるように、内容物の吐出量の調節部１１０は、そこに収容された化粧料内容物の吐出量を調整するように構成されている。すなわち、内容物の吐出量の調節部１１０は、エッセンス、アンプル、流体などの化粧料内容物を通過させて吐出する少なくとも２つの吐出口１１４を含み、該少なくとも２つの吐出口１１４は、互いに一定の距離に離れるように、熱シール手段を用いて形成される。少なくとも２つの吐出口１１４は、熱シールで形成されたギャップであってもよい。このような方法で、内容物の全部が、一度に部１１０から吐出されきることを防ぐ。結果として、使用者は、化粧料内容物の所望の量を吐出することができ、これにより内容物を無駄にすることがない。
切欠きまたは切断部分１１１は、使用者がキャップ１１６を容易に開封または除去できるように、部１１０の吐出口側に形成されている。
【００１５】
［第２の実施態様］
図３に示すように、本考案の第２の実施態様による化粧料内容物の吐出量の調節が可能な多室包装袋は、内容物の吐出量の調節部１１０が、さらに、吐出口１１４の調整された位置に設けられる塗布部１１８を含む。
図４に示すように、かかる塗布部１１８は、使用者の肌に接触するようになり、次いで、使用者の肌に確実かつ安全に塗布されように、内容物の吐出量の調節部１１０から化粧料内容物が吐出されることになる。
【００１６】
本明細書に示し、記載した態様およびバリエーションは、単に本考案の原理の実例であり、本考案の範囲および精神からはずれることなく、当業者によって種々の改変が行われ得ることを理解すべきである。
【符号の説明】
【００１７】
１００  包装袋
１０２，１１１  切欠きまたは切断部分
１１０  内容物の吐出量の調節部
１１２  熱シール線
１１４  吐出口
１１６  キャップ
１１８  塗布部
【図１】
0003172582.tif 000003
【図２】
0003172582.tif 000004
【図３】
0003172582.tif 000005
【図４】
0003172582.tif 000006
【手続補正書】
【提出日】平成23年10月26日(2011.10.26)
【手続補正１】
【補正対象書類名】実用新案登録請求の範囲
【補正対象項目名】全文
【補正方法】変更
【補正の内容】
【実用新案登録請求の範囲】
【請求項１】
化粧料内容物の吐出量の調節が可能な多室包装袋であって、
マッサージパックを中に収容するための収容スペースを有する包装袋、および
熱シール線で区切られ、該線に沿って切断できるように、包装袋の一方側に設けられ、かつ、収容された化粧料内容物の吐出量を調整する、内容物の吐出量の調節部
を含み、
前記調節部が、化粧料内容物を通過させて吐出する少なくとも２つの吐出口を含み、該少なくとも２つの吐出口が、互いに一定の距離に離れるように、熱シール手段を用いて形成される、前記多室包装袋。
【請求項２】
内容物の吐出量の調節部が、吐出口に調整された位置に設けられ、かつ、使用者の肌に接触し、使用者の肌に化粧料内容物を塗布する塗布部をさらに含む、請求項１に記載の多室包装袋。